(57)【要約】【課題】関連する複数の実行指示によって一連の印刷を実行する場合において、これらの関連する複数の実行指示のうちの不足している実行指示と充足している実行指示とを互いに区別して表示することが可能な情報処理装置、情報処理システム及びプログラムを提供する。【解決手段】情報処理装置は、印刷の実行を指示する実行指示を受信する受信手段と、複数の実行指示を、実行指示の属性に応じて集合体にまとめる集合化手段と、集合体を構成する複数の実行指示の型を示す型情報に応じて、受信された第１の実行指示と、受信されていない第２の実行指示とを異なる表示態様で表示するよう制御する表示制御手段とを備える。【選択図】図２
2020170211.tif 000002
【特許請求の範囲】
【請求項１】
印刷の実行を指示する実行指示を受信する受信手段と、
複数の前記実行指示を、前記実行指示の属性に応じて集合体にまとめる集合化手段と、
前記集合体を構成する前記複数の実行指示の型を示す型情報に応じて、受信された第１の実行指示と、受信されていない第２の実行指示とを異なる表示態様で表示するよう制御する表示制御手段と、
を備える情報処理装置。
【請求項２】
前記型情報は、前記実行指示により印刷が指示された対象の種類に応じて定められる、
請求項１に記載の情報処理装置。
【請求項３】
前記表示制御手段は、前記型として前記対象の種類ごとに設けられた枠を表示するとともに、受信されていない前記第２の実行指示に対応する枠に、該第２の実行指示が受信されていないことを示す説明情報を表示するよう制御する、
請求項２に記載の情報処理装置。
【請求項４】
前記表示制御手段は、受信されてない前記第２の実行指示がある場合に、前記集合体に含まれる前記複数の実行指示による印刷の実行を禁止する禁止手段をさらに備える、
請求項１から３のいずれか１項に記載の情報処理装置。
【請求項５】
前記表示制御手段は、前記集合体を構成する前記複数の実行指示が全て前記第１の実行指示となった場合に、前記集合体に含まれる前記複数の実行指示による印刷の実行を許可する許可手段をさらに備える、
請求項１から４のいずれか１項に記載の情報処理装置。
【請求項６】
前記禁止手段による印刷の実行が禁止されていない場合に、
前記表示制御手段は、前記第１の実行指示がない場合と、前記第２の実行指示がある場合と、前記第２の実行指示がない場合と、で段階的に表示態様を変えて表示するよう制御する、
請求項５に記載の情報処理装置。
【請求項７】
前記表示制御手段は、前記集合体を構成する前記複数の実行指示の全てを受信したことを示すことを表示する、
請求項１から６のいずれか１項に記載の情報処理装置。
【請求項８】
請求項１から７のいずれか１項に記載の情報処理装置と、
前記情報処理装置からの指示によって印刷を実行する印刷装置と、
を備えた情報処理システム。
【請求項９】
コンピュータを、
印刷の実行を指示する実行指示を受信する受信手段と、
複数の前記実行指示を、前記実行指示の属性に応じて集合体にまとめる集合化手段と、
前記集合体を構成する前記複数の実行指示の型を示す型情報に応じて、受信された第１の実行指示と、受信されていない第２の実行指示とを異なる表示態様で表示するよう制御する表示制御手段
として、機能させるためのプログラム。
【発明の詳細な説明】
【技術分野】
【０００１】
本発明は、情報処理装置、情報処理システム及びプログラムに関する。
【背景技術】
【０００２】
近年、複数の印刷ジョブに分けて投入せずとも、一回の印刷指示で、グループ毎に部数、印刷範囲、その他、印刷設定を指定可能とする情報処理装置が提案されている（例えば、特許文献１参照。）。
【０００３】
特許文献１に記載された情報処理装置は、印刷ジョブを受信する受信手段と、前記受信手段により受信された前記印刷ジョブに対応するジョブ属性を解析する解析手段と、前記解析手段の解析の結果に応じて、ジョブ共通設定と、グループ共通設定と、グループ固有設定との各画面に含まれる設定項目を決定する表示手段と、前記表示手段により決定された設定項目を含むジョブ共通設定と、グループ共通設定と、グループ固有設定との画面を介した設定された印刷設定情報を前記印刷ジョブと関連付けて記憶装置に記憶する記憶手段とを有している。
【先行技術文献】
【特許文献】
【０００４】
【特許文献１】特開２０１３−１５６９１８号公報
【発明の概要】
【発明が解決しようとする課題】
【０００５】
本発明の課題は、関連する複数の実行指示によって一連の印刷を実行する場合において、これらの関連する複数の実行指示のうちの不足している実行指示と充足している実行指示とを互いに区別して表示することが可能な情報処理装置、情報処理システム及びプログラムを提供することにある。
【課題を解決するための手段】
【０００６】
［１］印刷の実行を指示する実行指示を受信する受信手段と、
複数の前記実行指示を、前記実行指示の属性に応じて集合体にまとめる集合化手段と、
前記集合体を構成する前記複数の実行指示の型を示す型情報に応じて、受信された第１の実行指示と、受信されていない第２の実行指示とを異なる表示態様で表示するよう制御する表示制御手段と、
を備える情報処理装置。
［２］前記型情報は、前記実行指示により印刷が指示された対象の種類に応じて定められる、
前記［１］に記載の情報処理装置。
［３］前記表示制御手段は、前記型として前記対象の種類ごとに設けられた枠を表示するとともに、受信されていない前記第２の実行指示に対応する枠に、該第２の実行指示が受信されていないことを示す説明情報を表示するよう制御する、
前記［２］に記載の情報処理装置。
［４］前記表示制御手段は、受信されてない前記第２の実行指示がある場合に、前記集合体に含まれる前記複数の実行指示による印刷の実行を禁止する禁止手段をさらに備える、
前記［１］から［３］のいずれか１つに記載の情報処理装置。
［５］前記表示制御手段は、前記集合体を構成する前記複数の実行指示が全て前記第１の実行指示となった場合に、前記集合体に含まれる前記複数の実行指示による印刷の実行を許可する許可手段をさらに備える、
前記［１］から［４］のいずれか１つに記載の情報処理装置。
［６］前記禁止手段による印刷の実行が禁止されていない場合に、
前記表示制御手段は、前記第１の実行指示がない場合と、前記第２の実行指示がある場合と、前記第２の実行指示がない場合と、で段階的に表示態様を変えて表示するよう制御する、
前記［５］に記載の情報処理装置。
［７］前記表示制御手段は、前記集合体を構成する前記複数の実行指示の全てを受信したことを示すことを表示する、
前記［１］から［６］のいずれか１つに記載の情報処理装置。
［８］前記［１］から［７］のいずれか１つに記載の情報処理装置と、
前記情報処理装置からの指示によって印刷を実行する印刷装置と、
を備えた情報処理システム。
［９］コンピュータを、
印刷の実行を指示する実行指示を受信する受信手段と、
複数の前記実行指示を、前記実行指示の属性に応じて集合体にまとめる集合化手段と、
前記集合体を構成する前記複数の実行指示の型を示す型情報に応じて、受信された第１の実行指示と、受信されていない第２の実行指示とを異なる表示態様で表示するよう制御する表示制御手段
として、機能させるためのプログラム。
【発明の効果】
【０００７】
請求項１、８、９に係る発明によれば、関連する複数の実行指示によって一連の印刷を実行する場合において、これらの関連する複数の実行指示のうちの不足している実行指示と充足している実行指示とを互いに区別して表示することができる。
請求項２に係る発明によれば、印刷の対象に応じて型情報を定めることができる。
請求項３に係る発明によれば、受信されていない実行指示の説明を表示することができる。
請求項４に係る発明によれば、受信されていない実行指示がある場合に関連する複数の実行指示が実行されてしまうことを抑制することができる。
請求項５に係る発明によれば、関連する複数の実行指示が揃った時点で実行を開始することができる。
請求項６に係る発明によれば、受信されていない実行指示がある場合において関連する複数の実行指示が実行される状態を区別して表示することができる。
請求項７に係る発明によれば、関連する複数の実行指示が揃った状態であることを表示することができる。
【図面の簡単な説明】
【０００８】
【図１】図１は、本発明の実施の形態に係る情報処理システムの構成の一例を示すブロック図である。
【図２】図２は、グループ構成枠テーブルの一例を示す図である。
【図３】図３は、表示画面の一例を示す図である。
【図４】図４は、本実施の形態に係る情報処理装置の動作の一例を示すフローチャートである。
【図５】図５は、オフライン製本の一例を模式的に示す図である。
【図６】図６は、表示画面の変形例を示す図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態］
図１は、本発明の実施の形態に係る情報処理システムの構成の一例を示すブロック図である。図１に示すように、この情報処理システム１は、情報処理装置２と、情報処理装置２に接続されたプリンタ３及び後加工機４と、を有して構成されている。なお、図１内の矢印は、後述する各手段間でやりとりされる情報や信号の流れを示している。
【００１１】
このような情報処理装置２として、例えば、パーソナルコンピュータや、タブレッド端末、多機能携帯電話機（スマートフォン）等の携帯情報端末を用いることができる。プリンタ３には、例えば、複合機、連帳機、カット紙プリンタ等が含まれる。
【００１２】
後加工機４は、プリンタ３と接続したインライン型でもよく、プリンタ３とは物理的に離間した状態で存在しプリンタ３に直接的に接続されていないオフライン型でもよい。インライン型では、記録媒体の搬送路がプリンタ３と後加工機４とで共有され、プリンタ３に対する印刷の指示によって後加工処理まで実行することが可能である。オフライン型では、プリンタ３に対する印刷の指示とは異なるタイミングで後加工処理を実施する。
【００１３】
（情報処理装置２の構成）
本発明の実施の形態に係る情報処理装置２は、各部を制御する制御部２０と、各種のデータを記憶する記憶部（以下、「ＤＢ」ともいう。）２１と、を備える。制御部２０は、ＣＰＵ（Central Processing Unit）、インターフェース等から構成されている。
【００１４】
ＣＰＵは、記憶部２１に記憶されたプログラムに従って動作することにより、ジョブ受信手段２００、ジョブ情報解析手段２０１、グループ判定手段２０２、ジョブ／グループジョブ情報表示手段２０３、グループジョブ型定義設定手段２０４、ジョブ送信判定手段２０５、ジョブ送信手段２０６、プリンタ情報取得手段２０７等として機能する。各手段２００〜２０７の詳細については後述する。
【００１５】
ＤＢ２１は、ＲＯＭ（Read Only Memory）、ＲＡＭ（Random Access Memory）、ハードディスク等から構成され、プログラムや、グループ構成枠テーブル２１１（図２参照）等の各種データを記憶する。また、ＤＢ２１は、ジョブの型（以下、「タイプ」ともいう。）等のジョブの属性を示すジョブ属性情報、グループジョブ型定義情報（以下、単に「型定義情報」ともいう。）、グループジョブの情報、プリンタの情報等を管理する。
【００１６】
ここで、「ジョブ」（以下、「印刷ジョブ」ともいう。）とは、プリンタ３に対して印刷の実行を指示する印刷指示をいう。印刷指示は、実行指示の一例である。ジョブは、印刷の実行に必要な各種の設定を記録した印刷設定情報、及びプリンタ３が解釈できるＰＤＦ（Portable Document Format)、ＰｏｓｔＳｃｒｉｐｔ（登録商標）等のページ記述言語（ＰＤＬ：Page Description Language）で記述された印刷データを含む。
【００１７】
「グループジョブ」とは、互いに関連する複数の印刷ジョブをまとめたジョブの集合体をいう。グループジョブは、例えば、後述する「製品ＩＤ」等のような、複数の印刷ジョブに共通する条件により１つの括りにまとめて集合化される。「グループ」とは、一のジョブが属する集合体をいう。
【００１８】
ジョブの「タイプ」とは、あるグループを構成するためのジョブに共通する条件をいい、例えば、ジョブの属性が該当する。換言すれば、「タイプ」とは、ジョブが枠（後述する）に属するか否かを判定する条件の一つとなるものである。
【００１９】
また、グループジョブ型定義（以下、単に「グループ型定義」又は「型定義」ともいう。）とは、ジョブをグループに分類する基準をいう。グループジョブ型定義には、例えば、製品ＩＤ（後述する。）等のジョブの属性が含まれ、この場合、製品ＩＤが共通する複数のジョブは、一つのグループにまとめられる。
【００２０】
ジョブ受信手段２００は、ジョブを受信する。ジョブ情報解析手段２０１は、ジョブ受信手段２００により受信されたジョブに含まれる印刷設定情報や印刷データ情報を解析する。
【００２１】
グループ判定手段２０２は、ジョブ情報解析手段２０１により得られた情報と、ＤＢ２１に記憶されたグループジョブ型定義、グループ構成枠テーブル２１１、及びグループジョブの作成状況の情報に応じて、受信されたジョブが属するグループを判定する。また、グループ判定手段２０２は、印刷ジョブをその属性に応じてグループ化するグループ化手段としても機能する。グループ化手段は、集合化手段の一例である。
【００２２】
また、グループ判定手段２０２は、判定の結果とジョブとを紐付けてＤＢ２１に記憶する。なお、グループ判定手段２０２は、受信されたジョブが属するグループがない場合は、グループを新規に作成してもよい。
【００２３】
ジョブ／グループジョブ情報表示手段２０３は、ジョブ属性情報やグループジョブ情報を操作者（以下、「ユーザ」ともいう。）に提示する。ジョブ／グループジョブ情報表示手段２０３は、表示制御手段の一例である。
【００２４】
グループジョブ型定義設定手段２０４は、ジョブ属性によるグループ判定条件、グループの構成要素の条件、配置、個数、ソート条件、欠落しているジョブ（以下、単に「欠落ジョブ」ともいう。）の表示情報、欠落ジョブ存在時の制御方法等を定義する。
【００２５】
ジョブ送信判定手段２０５は、グループジョブ型定義設定に従い、送信を制御する。ジョブ送信手段２０６は、送信を指示されたグループジョブに含まれるジョブを、送信先のプリンタ３に応じた方法でプリンタ３に送信する。
【００２６】
プリンタ情報取得手段２０７は、プリンタ３に対して定期的に問い合わせをおこない、プリンタ３の構成、用紙の情報、ステータス等の情報を取得し、ＤＢ２１に記憶する。
【００２７】
（テーブルの構成）
図２は、グループ構成枠テーブル２１１の一例を示す図である。グループ構成枠テーブル２１１は、グループを構成するジョブの条件を定めたテーブルであり、当該グループの構成に必須となる部分群（すなわち、サブグループ（以下、「枠」又は「定義枠」ともいう。））に係る情報を記録する。
【００２８】
具体的には、グループ構成枠テーブル２１１には、「枠に属するジョブの条件」の欄と、「グループ内の配置」の欄と、「枠に属するジョブ数」の欄と、「枠内のジョブのソート条件」の欄と、が設けられている。
【００２９】
「枠に属するジョブの条件」の欄には、ジョブが上述の「枠」に属するための条件が記録される。一例として、上述した「タイプ」によって枠を構成してもよく、この場合、「タイプ」の文字列が、例えば、二重括弧（『』）で括られるとともに、「タイプ」の内容を示す値が、例えば、引用符号（‘’）で括られて記録される。図２に示すように、「タイプ」には、例えば、「表紙」、「本身」、「裏表紙」等のような印刷の対象の内容に応じて分類される種別を示す情報が記録される。
【００３０】
「グループ内の配置」の欄には、例えば、「先頭」や「末尾」等、当該枠がグループ内でどの位置に配置されているかを示す情報が記録される。「枠に属するジョブ数」の欄には、枠として完成するために必要な、予め定められた個数を示す情報が記録される。「枠内のジョブのソート条件」の欄には、特に、枠を構成するジョブの数が複数の場合に、ジョブを並べる条件が記録される。
【００３１】
（表示画面）
図３は、表示画面の一例を示す図である。表示画面６は、ユーザに対して、グループジョブの過不足に係る状況を可視的に提示する画面である。表示画面６は、上述したジョブ／グループジョブ情報表示手段２０３により、情報処理装置２の表示面（不図示）、プリンタ３の表示面（不図示）、或いは、情報処理装置２に接続される端末装置（不図示）の表示面（不図示）等の指定された表示面に表示される。
【００３２】
表示画面６には、例えば、ジョブを識別する識別情報を示す「ＩＤ」欄、ジョブの名称を示す「ジョブ名」欄、ジョブの状況を示す「ステータス」欄、ジョブによって印刷が指示された数を示す「部数」欄、製本の方法を示す「製本方法」欄、ジョブにより生成される印刷物の完成品に付された識別情報を示す「製品ＩＤ」欄、タイプを示す「タイプ」欄、ジョブの送信先となるプリンタ３を示す「送信先」欄、その他「論理プリンタ」欄、等が含まれ、ジョブの状況が一覧で示されるようになっている。
【００３３】
この表示画面６では、ジョブはグループ６１ごとに纏めて表示される。なお、説明の便宜上、グループ６１を四角枠で示したが、四角枠は、必ずしも実際の表示画面６に表示されてなくてもよい。
【００３４】
また、各行は、ジョブ６２を示す。ジョブ６２を示す枠は、上述したグループ構成枠テーブル２１１に記録された情報に応じて設けられる。ジョブ受信手段２００により受信されたジョブ（以下、「到着済みジョブ」ともいう。）６２ａに加えて、ジョブ受信手段２００により受信されていない、未到着の状態（以下、「プレースホルダ―」ともいう。）としての（すなわち、上述した欠落ジョブ）ジョブ６２ｂについても表示される。到着済みジョブ６２ａは、第１の実行指示の一例である。プレースホルダ―としてのジョブ６２ｂ、すなわち未到着のジョブ又は欠落ジョブは、第２の実行指示の一例である。
【００３５】
また、プレースホルダ―としてのジョブ６２ｂには、当該ジョブが未到着の状態であること、すなわち、ジョブ受信手段２００により受信されていない状態であることを示す説明文６２０をさらに表示してもよい。説明文６２０は、説明情報の一例である。
【００３６】
また、到着済みジョブ６２ａと、プレースホルダ―としてのジョブ６２ｂとを、同列に表示するものの、異なる表示態様で区別して表示する。例えば、プレースホルダ―としてのジョブ６２ｂに対応する枠の背景色、文字の太さ、文字のサイズ等を到着済みジョブ６２ａに対応する枠の背景色、文字の太さ、文字のサイズ等と異なるように表示してもよい。
【００３７】
（実施の形態の動作）
次に、情報処理装置２の動作の一例について図４を参照して説明する。ジョブ受信手段２００は、情報処理装置２に送信される印刷ジョブを受信する（Ｓ１）。ジョブ情報解析手段２０１は、ジョブ受信手段２００が受信した印刷ジョブ（以下、単に「受信ジョブ」ともいう。）の解析を行う（Ｓ２）。
【００３８】
グループ判定手段２０２は、グループ構成枠テーブル２１１と受信ジョブを解析した結果とを照合し、受信ジョブと条件が合致するグループ型定義があるか否か判定する（Ｓ３）。
【００３９】
受信ジョブと条件が合致するグループ型定義がない場合（Ｓ３：Ｎｏ）、グループ判定手段２０２は、グループ未所属のジョブとしてＤＢ２１に登録する（Ｓ４）。
【００４０】
受信ジョブと条件が合致するグループ型定義がある場合（Ｓ３：Ｙｅｓ）、グループ判定手段２０２は、対象のグループ型定義をもとにした未完成のグループがあるか否かを判定する（Ｓ５）。
【００４１】
対象のグループ型定義をもとにした未完成のグループがない場合（Ｓ５：Ｎｏ）、グループ判定手段２０２は、対象のグループ型定義をもとにしたグループを新規作成し、そこに受信したジョブを属させる形でＤＢ２１に登録する（Ｓ６）。
【００４２】
対象のグループ型定義をもとにした未完成のグループがある場合（Ｓ５：Ｙｅｓ）、グループ判定手段２０２は、未完成のグループにおけるジョブ未到達状態の定義枠のうち、受信ジョブと条件が合致するものがあるか否か判定する（Ｓ７）。
【００４３】
未完成のグループにおけるジョブ未到達状態の定義枠のうち、受信ジョブと条件が合致するものがある場合（Ｓ７：Ｙｅｓ）、未完成グループの条件が合致した枠に、受信したジョブを属させる形でＤＢ２１に登録する。この際、グループ内のジョブを条件に従ってソートする（Ｓ８）。
【００４４】
未完成のグループにおけるジョブ未到達状態の定義枠のうち、受信ジョブと条件が合致するものがない場合（Ｓ７：Ｎｏ）、上述したステップＳ６と同様に動作する。すなわち、グループ判定手段２０２は、対象のグループ型定義をもとにしたグループを新規作成し、そこに受信したジョブを属させる形ＤＢ２１に登録する。
【００４５】
次に、グループ判定手段２０２は、対象未完成グループのジョブ未到着状態の定義枠がすべて埋まったか否かを判定する（Ｓ９）。対象未完成グループのジョブ未到着状態の定義枠がすべて埋まった場合（Ｓ９：Ｙｅｓ）、グループ判定手段２０２は、対象のグループを完成グループとしてＤＢ２１に登録する（Ｓ１０）。
【００４６】
＜適用例＞
次に、上述の情報処理装置２の適用例について説明する。一例として、上述の実施の形態に係る情報処理装置２は、製本を行う工程に適用してよい。以下、（１）後加工機４としてインライン型の製本機を用いる場合（以下、単に「インライン製本」ともいう。）と、（２）後加工機４としてオフライン型の製本機を用いる場合（以下、単に「オフライン製本」ともいう。）と、に分けて、それぞれ説明する。
【００４７】
（１）インライン製本
インライン製本の場合は、未到着のジョブがある場合、到着済みか否かに関わらずグループ内のジョブを全て一律に次の工程に進むことを制限してもよい。換言すれば、情報処理装置２は、未到着のジョブがある場合に、グループ内のジョブによる印刷の実行を禁止する禁止手段をさらに備えてもよい。また、情報処理装置２は、未到着のジョブがなくなった場合に、グループ内のジョブによる印刷の実行を許可する許可手段を備えてもよい。これらの場合、未到着のジョブがあり、次の工程にジョブを進めることが禁止されている場合と、未到着のジョブがなく、次の工程のジョブを進めることが許可されている場合と、の間で表示態様を変えて表示してもよい。
【００４８】
（２）オフライン製本
図５は、オフライン製本の一例を模式的に示す図である。図６は、表示画面６の変形例を示す図である。情報処理システム１は、上述した構成に加えて、製本機４０をさらに備える。オフライン製本では、図５に示すように、複数のプリンタ３（ここでは、第１のプリンタ３Ａ及び第２のプリンタ３Ｂとする。）にジョブを振り分けられて印刷が並列的に実行される。
【００４９】
また、オフライン製本では、第１のプリンタ３Ａから出力される第１の印刷物３０Ａと、第２のプリンタ３Ｂから出力される第２の印刷物３０Ｂと、を突き合わせて、製本機４０にて１つの本３０が作製される。このとき、第１の印刷物３０Ａ及び第２の印刷物３０Ｂにそれぞれバーコード３１を付すことにより、両者が１つの本３０として共通のものであることを情報処理システム１に認識させてもよい。
【００５０】
このような場合、一のグループ内に未到着のジョブがある場合であっても、当該未到着のジョブが到着することを待たずに、到着済みのジョブのみを次の工程に進めてよい。すなわち、到着済みのジョブのみを、送信先に指示されたプリンタ３に送信してもよい。オフライン製本は、上述した禁止手段による印刷が禁止されていない場合の一例である。
【００５１】
具体的には、図６に示すように、表示画面６に一のグループとして示されている、製品ＩＤが「ＢＯＯＫ＿００３」のグループ６１（図６の２つの四角枠のうち上側の四角枠参照。）において、到着済みのジョブＩＤ「１５」の「表紙」に係るジョブと、ジョブＩＤ「１４」の「本身１」に係るジョブと、ジョブＩＤ「１３」の「裏表紙」に係るジョブと、を先行してプリンタ３に送信し、これらジョブに係る印刷を先行して実行してもよい。また、この場合、ジョブＩＤ「２５」の「本身２」に係るジョブは、到着次第、プリンタ３に送信してもよい。
【００５２】
また、図示はしないが、未到着のジョブがない場合（すなわち、すべての定義枠が埋まった状態である場合）は、未到着のジョブがないことを明示する表示をしてもよい。例えば、ジョブＩＤ「１６」について、「すべてのジョブが到着済み」や「印刷可」との説明文を付したり、グループ全体を青色でハッチングしたりすることなどが考えられる。さらに、到着済みのジョブが無い場合と、未到着のジョブがある場合と、未到着のジョブがない場合（すなわち、すべての定義枠が埋まった状態である場合）と、の３つのケースで互いに異なる表示の態様で示してもよい。換言すれば、到着済みのジョブが無い場合と、未到着のジョブがある場合と、未到着のジョブがない場合と、で段階的に表示態様を変えて示してもよい。
【００５３】
具体的には、到着済みのジョブが無い場合、実行が可能なジョブがないことを示す態様で表示し、未到着のジョブがある場合、オフライン製本の場合のみ到着済みのジョブを次の工程に進めることを示す態様で表示し、未到着のジョブがない場合、グループのジョブを同時的に実行できる状態であることを示す態様で表示してもよい。
【００５４】
より具体的には、一例として、グループを構成する示す枠の背景を例に挙げて説明すると、到着済みのジョブが無い場合、例えば、無色や灰色に着色して示し、未到着のジョブがある場合、例えば、黄色等の特定の色で着色して示し、未到着のジョブがない場合、例えば、青色等の別の特定の色で着色して示してもよい。
【００５５】
以上、本発明の実施の形態を説明したが、本発明の実施の形態は上記実施の形態に限定されるものではなく、本発明の要旨を変更しない範囲内で種々の変形、実施が可能である。例えば、上述の実施の形態では、未到着のジョブについて、不足している状態であることを示す態様で示したが、到着済みのジョブと未到着のジョブとを区別できる態様であればこの方法に限定されるものではなく、到着済みのジョブについて、充足している状態であることを示す態様で示してもよい。
【００５６】
また、例えば、必ずしも型定義情報は、予め定められたものに限定されるものではなく、一定の数のジョブを受信した後に型定義情報を設定できるようにしてもよい。この場合、例えば、受信したジョブを、例えば、ＤＢ２１等に一時的に溜めておき、その後に型を定義し、この定義に応じて溜めておいたジョブを割り付けてもよい。
【００５７】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００５８】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００５９】
１…情報処理システム
２…情報処理装置
２０…制御部
２００…ジョブ受信手段
２０１…ジョブ情報解析手段
２０２…グループ判定手段
２０３…ジョブ／グループジョブ情報表示手段
２０４…グループジョブ型定義設定手段
２０５…ジョブ送信判定手段
２０６…ジョブ送信手段
２０７…プリンタ情報取得手段
２１…ＤＢ
２１１…グループ構成枠テーブル
３，３Ａ，３Ｂ…プリンタ
３０…本
３０Ａ…第１の印刷物
３０Ｂ…第２の印刷物
３１…バーコード
４…後加工機
４０…製本機
６…表示画面
６１…グループ
６２…ジョブ
６２ａ…ジョブ（到着済みジョブ）
６２ｂ…ジョブ（プレースホルダ―）
６２０…説明文
【図１】
2020170211.tif 000003
【図２】
2020170211.tif 000004
【図３】
2020170211.tif 000005
【図４】
2020170211.tif 000006
【図５】
2020170211.tif 000007
【図６】
2020170211.tif 000008